(57)【要約】【課題】鍵盤を含む演奏部を開閉するために鍵盤蓋を前後にスライドする際に、鍵盤蓋をスムーズにスライドできて耐久性が良好な鍵盤蓋の開閉装置を提供することを目的とする。【解決手段】鍵盤楽器の左右の腕木間に配置された鍵盤蓋１４を前後方向にスライドすることにより演奏部を開閉する電子楽器の鍵盤蓋開閉装置であって、鍵盤蓋１４には、前部の両側面に突き出して、前後方向に回転するベアリング２４を備え、左右の腕木には、ベアリングの上下部が回転自在に嵌合するガイド溝を鍵盤楽器の前後方向に沿って形成し、鍵盤蓋を前後方向にスライドする際に、ベアリング２４が、ガイド溝内で鍵盤蓋１４の前部を支持して回転し、鍵盤蓋１４を前後方向に案内する。【選択図】  図２
2004309963.tif 000002
【特許請求の範囲】
【請求項１】
鍵盤楽器の左右の腕木間に配置された鍵盤蓋を該鍵盤楽器の前後方向にスライドすることにより演奏部を開閉する電子楽器の鍵盤蓋開閉装置であって、
前記鍵盤蓋には、該鍵盤蓋の前部に両側方に突き出して設けられて前後に回転する左右のベアリングを備え、
前記左右の腕木には、前記左右のベアリングが回転自在に嵌合する左右のガイド溝が前記鍵盤楽器の前後方向に沿って形成され、
前記鍵盤蓋を前後方向にスライドする際に、前記ベアリングが、前記ガイド溝内で該鍵盤蓋の前部を支持して回転し、該鍵盤蓋を前後方向に案内する、
ことを特徴とする鍵盤楽器の鍵盤蓋開閉装置。
【請求項２】
前記ベアリングは、円筒状の外輪と該外輪の中心に配置されて該外輪に対して回転自在に係合するとともに一端が該外輪の軸方向に突き出した回転軸とを備えた円筒形ベアリングであって、
前記円筒形ベアリングは、前記外輪の軸方向が左右の腕木に向かって直交するように前記回転軸の一端が前記鍵盤蓋の前部に取り付けられるとともに、該外輪の該鍵盤蓋側に位置する端面が該鍵盤蓋の側面と所定の間隔を有するよう取り付けられ、
前記ガイド溝は、前記外輪の両端面が嵌合する凹溝が該ガイド溝内の上下方向の何れか一方の内面に沿って形成されている、
ことを特徴とする請求項１に記載の鍵盤楽器の鍵盤蓋開閉装置。
【発明の詳細な説明】
【０００１】
【発明の属する技術分野】
本発明は、鍵盤蓋を前後方向へスライドさせて鍵盤を含む演奏部を開閉する鍵盤楽器の鍵盤蓋開閉装置に関する。
【０００２】
【従来の技術】
従来、電子ピアノなどの電子楽器において、鍵盤の上方に鍵盤蓋を備え、この鍵盤蓋が鍵盤楽器本体から手前側に引き出されて鍵盤を覆う閉鎖位置と、鍵盤蓋が閉鎖位置から鍵盤楽器本体の後方側に押し入れられて鍵盤を露出する開放位置との間で、鍵盤蓋が前後方向にスライド自在に構成された鍵盤蓋開閉装置が知られている。
【０００３】
このような、鍵盤開閉装置においては、鍵盤蓋を鍵盤楽器本体に対してスムーズにスライドさせるために、鍵盤蓋のガイドを備えたものがある。
例えば、鍵盤開閉装置には、鍵盤蓋の前部に両側方に突き出してガイドピンを設けるとともに、鍵盤の両側の腕木に鍵盤楽器の前後方向に沿って鍵盤蓋のガイドピンが嵌合するガイド溝を設け、ガイド溝に沿ってガイドピンをスライドさせて鍵盤蓋を前後方向にスライドするものがある。（例えば、特許文献１参照）
【０００４】
【特許文献１】
特開２００２−２５１１８９号公報（第６頁、第１１−１２図）
【０００５】
【発明が解決しようとする課題】
しかしながら、特許文献１に記載の鍵盤開閉装置によれば、鍵盤蓋を前後にスライドする際に、上下方向のバラツキが生じると、ガイドピンがガイド溝に強く当接し、鍵盤蓋をスムーズに開閉できなくなる虞があった。また、ガイドピンとガイド溝とが強く当接してスライドすると、ガイドピン及びガイド溝の損傷や磨耗が生じ、長期の使用に耐えられなくなる虞があった。
【０００６】
本発明は、こうした問題に鑑みなされたものであり、鍵盤を含む演奏部を開閉するために鍵盤蓋を前後にスライドする際に、鍵盤蓋をスムーズにスライドできて耐久性が良好な鍵盤蓋の開閉装置を提供することを目的とする。
【０００７】
【課題を解決するための手段及び発明の効果】
かかる目的を達成するためになされた請求項１記載の発明は、鍵盤楽器の左右の腕木間に配置された鍵盤蓋を該鍵盤楽器の前後方向にスライドすることにより演奏部を開閉する電子楽器の鍵盤蓋開閉装置であって、前記鍵盤蓋には、該鍵盤蓋の前部に両側方に突き出して設けられて前後に回転する左右のベアリングを備え、前記左右の腕木には、前記左右のベアリングが回転自在に嵌合する左右のガイド溝が前記鍵盤楽器の前後方向に沿って形成され、前記鍵盤蓋を前後方向にスライドする際に、前記ベアリングが、前記ガイド溝内で該鍵盤蓋の前部を支持して回転し、該鍵盤蓋を前後方向に案内することを特徴とする。
【０００８】
請求項１に記載の鍵盤蓋開閉装置によれば、鍵盤蓋には、鍵盤蓋の前部の両側方に突き出して前後に回転するベアリングを備え、左右の腕木には、ベアリングが回転自在に嵌合するガイド溝が鍵盤楽器の前後方向に沿って形成され、鍵盤蓋を前後方向にスライドする際に、ベアリングがガイド溝内で鍵盤蓋の前部を支持して回転し鍵盤蓋を前後方向に案内するので、鍵盤蓋を前後にスライドする際に、ベアリングとガイド溝との当接部に強い摩擦力が生じることなく、鍵盤蓋のスライドをスムーズに行うことができる。また、請求項１に記載の鍵盤蓋開閉装置によれば、鍵盤蓋をスライドする際のベアリング及びガイド溝の損傷や磨耗を低減できて耐久性を向上できる。
【０００９】
次に、請求項２に記載の発明は、請求項１に記載の鍵盤楽器の鍵盤蓋開閉装置において、前記ベアリングは、円筒状の外輪と該外輪の中心に配置されて該外輪に対して回転自在に係合するとともに一端が該外輪の軸方向に突き出した回転軸とを備えた円筒形ベアリングであって、前記円筒形ベアリングは、前記外輪の軸方向が左右の腕木に向かって直交するように前記回転軸の一端が鍵盤蓋の前部に取り付けられるとともに、前記外輪の鍵盤蓋側に位置する端面が該鍵盤蓋の側面と所定の間隔を有するよう取り付けられ、前記ガイド溝は、前記外輪の両端面が嵌合する凹溝が該ガイド溝内の上下方向の何れか一方の内面に沿って形成されていることを特徴とする。
【００１０】
請求項２に記載の鍵盤蓋開閉装置によれば、ガイド溝には、上下方向の何れか一方の内面に、円筒形ベアリングの両端面が嵌合する凹溝がガイド溝に沿って形成されているので、鍵盤蓋をスライドする際に、円筒形ベアリングの円筒部の両端部が凹部に嵌合し、ベアリングがガイド溝から外れることなく鍵盤蓋のスライドをスムーズに行うことができる。
【００１１】
【発明の実施の形態】
次に、本発明が適用された電子楽器の鍵盤蓋開閉装置の一実施形態を図面と共に説明する。図１は本発明の一実施形態の鍵盤開閉装置が適用された鍵盤楽器の外観図、図２は同実施形態の鍵盤楽器の鍵盤蓋を側方から見た側面図（ａ）と前側から見た正面図（ｂ）、図３は同実施形態における鍵盤蓋が閉鎖位置にある鍵盤楽器の側断面図、図４は同実施形態における鍵盤蓋の前蓋を腕木のガイド溝に嵌合した状態を表した断面図、図５は同実施形態における鍵盤蓋の後蓋を腕木の後方案内部に係合する説明図であって（ａ）は後蓋に鍵盤蓋軸ホルダー及び鍵盤蓋軸ホルダー取付金具を取り付けた図、（ｂ）は鍵盤蓋軸ホルダーに案内軸及びピニオンギヤを取り付けた図、（ｃ）は後蓋を後蓋案内部に係合した図、図６は同実施形態における鍵盤蓋が開放位置にある鍵盤楽器の側断面図である。
【００１２】
図１に表したように、この鍵盤楽器１は、鍵盤楽器本体２と両脚部３とで構成されている。鍵盤楽器本体２は、両脚部３が取り付けられた棚板４上に、その前後方向（演奏者から見て手前を「前」、先方を「後」として説明する。）に演奏部８を有し、演奏部８の両側に左右の腕木７を有している。また、鍵盤楽器本体２は、天板５と背面板９とを有しており、これらと棚板４との間の内部空間に音響装置が収容されている。また、演奏部８は、鍵盤１０と操作パネル１２とからなり、操作パネル１２には各種のコントロールスイッチ１１が配設されている。また、操作パネル１２の後方には譜面台１３が設けられている。
【００１３】
また、操作パネル１２の上面と天板５の前板５ａとの間にはスリット１５が形成されており、このスリット１５を介して天板５の下側から鍵盤蓋１４が出し入れされるようになっている。尚、鍵盤蓋１４は、両腕木７に沿って鍵盤楽器１の前後方向にスライドされ演奏部８の上部空間を開閉し、演奏部８を覆い保護するものである。
【００１４】
次に、鍵盤蓋１４を腕木７に沿って鍵盤楽器１の前後方向にスライドする鍵盤蓋開閉装置について説明する。
先ず、鍵盤蓋１４は、図２に表わしたように、演奏部８上方の前方側を覆う前蓋１６と後方側を覆う板状の後蓋１８とを備え、前蓋１６の後端部と後蓋１８の前端部とは、蝶番２０により山形に折りたたみ可能に連結されている。
【００１５】
このうち、前蓋１６は、図２（ａ）に表したように、下方に垂れて鍵盤１０の前方を覆う前垂れ部２２をその前部に備え、前垂れ部２２の両側方に突き出して、前後方向に回転するベアリング２４が備えられている。また、ベアリング２４は、図２（ｂ）に表したように、円筒状の外輪２４ｂと外輪２４ｂの中心に回転自在に係合するとともに一端が外輪２４ｂの軸方向に突き出した回転軸２４ａとを備えた円筒形ベアリングであって、回転軸２４ａの一端を介して、外輪２４ｂの鍵盤蓋側に位置する端面が前蓋１６の側面１６ａと所定の間隔（図中の符号Ｃ）を有するように、前蓋１６の側面１６ａに取り付けられている。尚、円筒形ベアリング２４は、図４に表したように、回転軸２４ａが内輪２４ｄに接合され、内輪２４ｄと外輪２４ｂが円筒形の円筒形転動体２４ｃを介して回転できるように構成されている。
【００１６】
一方、後蓋１８は、図２に表したように、下面に鍵盤蓋軸ホルダー２６が鍵盤蓋軸ホルダー取り付け金具２８を介して取り付けられている。そして、鍵盤蓋軸ホルダー２６に案内軸３０が回転自在に挿通され、案内軸３０の両端に後蓋突起部３２及びピニオンギヤ３４が取り付けられている。
【００１７】
具体的には、図５（ａ）（ｂ）に表したようにこの後蓋突起部３２の一端には取り付け穴３２ａが軸方向に沿って形成されるとともに穴３２ａに連通するビス孔３２ｂが形成されている。そして、取り付け穴３２ａに案内軸３０の端部が挿入され、ビス穴３２ｂからビス３２ｃを入れてネジ止めされ、案内軸３０の両端に円柱状の後蓋突起部３２が取り付けられている。また、後蓋突起部３２の外周部には、ピニオンギヤ３４が一体に形成されている。
【００１８】
次に、左右の腕木７は、図３に表したように、前蓋１６のガイド溝３６と後蓋案内部３８を備えている。
前蓋１６のガイド溝３６は、ベアリング２４が嵌合してスライドできるように、腕木７の内面に沿って配設されて互いにほぼ平行な下側溝壁面３６ａ及び上側溝壁面３６ｂを有し、鍵盤楽器１の左右方向の外側に向けて凹状に形成されている。また、ガイド溝３６は鍵盤楽器１の前後方向に沿って形成されており、背面板９に近づくに従って上方に傾斜するように形成されている。また、下側溝壁面３６ａ及び上側溝壁面３６ｂが前端部３６ｄと後端部３６ｃでそれぞれ連結されており、鍵盤蓋１４を前側に引き出した際に、前蓋１６に取り付けられたベアリング２４がこの連結された前端部３６ｄに当接した位置で停止し、鍵盤蓋１４を後側に押し入れた際に、ベアリング２４がこの連結された後端部３６ｃに当接した位置で停止する。また、図４に表したように、ガイド溝３６の上下の寸法Ｈｇはベアリング２４が嵌合して回転できるように、ベアリング２４の外径（所謂、ベアリングの上下方向の寸法に相当する）Ｈｂよりも大きく形成されている。また、ガイド溝３６の左右方向の奥行き寸法Ｄｇはベアリング２４の両端寸法Ｄｂより大きく形成されている。また、ベアリング２４は下側溝内面３６ａと上側溝内面３６ｂに当接して回転し、ガイド溝３６に沿って前後方向に移動できる。また、下側溝内面３６ａは、前蓋１６が鍵盤楽器１の前後方向にスライドする際には、ベアリング２４を介して前蓋１６を下から支える。一方、上側溝内面３６ｂは、前蓋１６がスライドする際には、ベアリング２４を介して前蓋１６が上方に外れるのを防ぐ。
【００１９】
一方、後蓋案内部３８は、図３、図５（ｃ）に表したように、腕木７の内面に配設されて互いにほぼ平行な下側溝壁面３８ａ及び上側溝壁面３８ｂを有し、鍵盤楽器１の左右方向の外側に向けて凹状に形成され後蓋突起部３２が嵌合してスライドする溝３８ｅが備えられている。また。後蓋案内部３８は、背面板９に近づくにしたがって下方に傾斜している。また、後蓋案内部３８は、下側溝壁面３８ａ及び上側溝壁面３８ｂが前端部３８ｄと後端部３８ｃでそれぞれ連結されており、鍵盤蓋１４を前側に引き出した際に、後蓋突起部３２が前端部３８ｄに当接した位置で停止し、鍵盤蓋２４を後側に押し入れた際に、後蓋突起部３２が後端部３８ｃに当接した位置で停止する。また、後蓋案内部３８より下方に、後蓋１８に取り付けられたピニオンギヤ３４と噛み合うように形成されたラック４０が備えられている。
【００２０】
次に、鍵盤蓋１４をガイド溝３６及び後方案内部３８に取り付ける際の方法を説明する。
まず、図３に表したように、前蓋１６の左右に取り付けられた左右のベアリング２４をそれぞれ腕木７のガイド溝３６に差し入れた状態にする。具体的には、前蓋１６に取り付けられたベアリング２４を、下側溝壁面３６ａと上側溝壁面３６ｂとの間に差し入れた状態にする。この際、前蓋１６の両側面を互いに前後にずらすと、前蓋１６の左右に取り付けられたベアリング２４をそれぞれガイド溝３６に差し入れることができる。
【００２１】
次に、図５（ｃ）に示すように、後蓋１８の後蓋突起部３２をそれぞれ後方案内部３８の溝３８ｅに差し入れた状態にする。この際、予め、案内軸３０の両端を後蓋突起部３２の取り付け孔３２ｂの奥まで差し入れた状態にし、案内軸３０に対して後蓋突起部３２を固定するためのビス３２ｃを緩めておく。
【００２２】
次いで、後蓋突起部３２を下側溝壁面３８ａと上側溝壁面３８ｂとの間に差し入れるとともに、後蓋１８に取り付けられたピニオンギヤ３４と後蓋案内部３８の下方に備えられたラック４０とが噛み合うよう設置する。次いで、後蓋突起部３２が案内軸３０に対して動かなくなるまでビス３２ｃを締め付けると後蓋１８が鍵盤楽器１に取り付けられる。
【００２３】
尚、前述のように、鍵盤楽器１に取り付けられた状態の鍵盤蓋１４は、鍵盤楽器１の前側に引き出すと、前蓋１６に取り付けられたベアリング２４がそれぞれガイド溝３６の下側溝壁面３６ａと上側溝壁面３６ｂに当接して回転しながら鍵盤蓋１４を支持して移動させ、ベアアリング２４がガイド溝３６の前端部３６ｄに当接することにより、鍵盤蓋１４が停止する。この場合、鍵盤蓋１４は、鍵盤楽器１の前側に近づくに従って下方に傾斜し、鍵盤１０及び操作パネル１２の上方を覆うように配置される（所謂、閉鎖位置である）。
【００２４】
一方、前述のように鍵盤楽器１に取り付けられた鍵盤蓋１４を鍵盤楽器１から取り外すには、前述の手順を逆に進めるとよい。すなわち、後蓋突起部３２を案内軸３０に固定しているビス３２ｃを緩め、後蓋突起部３２を案内軸３０の内側に向けて動かし、後蓋１８を上方に移動させて後方案内部３８の溝３８ｅから外し、次いで、鍵盤蓋１４の両側面を互いに前後にずらしてベアリング２４をガイド溝３６から外すと、鍵盤蓋１４が鍵盤楽器１から外れる。
【００２５】
次に、鍵盤蓋１４の開閉動作について説明する。
鍵盤１０及び操作パネル１２の上方を覆う鍵盤蓋１４を図１に示す閉鎖位置か開放するには、まず、前蓋１６を押すなどして鍵盤蓋１４を鍵盤楽器１の後方に向けて移動させる。すると、図６に示すように、鍵盤蓋１４は後方にスライドしながら蝶番２０から山形に折り曲げ始め、後蓋１８の後蓋突起部３２が後方案内部３８の後端部３８ｃに到着して当接する。その位置からさらに鍵盤蓋１４を後方に移動させると、後蓋１８が、後蓋突起部３２及び案内軸３０を中心に回転し始めるとともに、前蓋１６に取り付けられたベアリング２４がガイド溝３６の後端部３６ｃに到着して当接する。すると、鍵盤蓋１４のスライドが停止し、鍵盤蓋１４が鍵盤楽器１の内部に下り畳まれた状態で収納される（所謂、この鍵盤蓋の位置が開放位置である）。
【００２６】
一方、鍵盤蓋を閉じるには、鍵盤楽器１の内部に折りたたまれた鍵盤蓋１４を前側に引くなどして演奏部８の上方に向けて移動させる。すると、前蓋１６の前部に取り付けられたベアリング２４がガイド溝３６の後端部３６ｃから離れ、ガイド溝３６の上面及び下面に当接しながら回転し、前蓋１６を支持しながら前方へスライドする。さらに、鍵盤蓋１４を前側に引いてスライドさせると、後蓋１８の後蓋突起部３２が後方案内部３８の後端部３８ｃから離れて前方にスライドし、前蓋１６に取り付けられたベアリング２４がガイド溝３６の前端部３６ｄに到着して鍵盤蓋１４が停止し、演奏部８の上方を覆う（所謂、この鍵盤蓋の位置が閉鎖位置である）。
【００２７】
以下に、前記の構成を有する実施形態の、鍵盤楽器の鍵盤蓋開閉機構の作用効果を記載する。
本実施の形態における鍵盤楽器の鍵盤蓋開閉装置によれば、鍵盤蓋１４には、鍵盤蓋１４の前部の両側方に突き出して前後に回転するベアリング２４を備え、左右の腕木７には、ベアリング２４が回転自在に嵌合するガイド溝３６が鍵盤楽器１の前後方向に沿って形成され、鍵盤蓋１４を前後方向にスライドする際に、ベアリング２４がガイド溝３６内で鍵盤蓋１４の前部を支持して回転し鍵盤蓋１４を前後方向に案内するので、鍵盤蓋１４を前後にスライドする際に、ベアリング２４とガイド溝３６との当接部に強い摩擦力が生じることなく、鍵盤蓋１４のスライドをスムーズに行うことができる。また、本実施の形態における鍵盤楽器の鍵盤蓋開閉装置によれば、請求項１に記載の鍵盤蓋開閉装置によれば、鍵盤蓋１４をスライドする際のベアリング２４及びガイド溝３６の損傷や磨耗を低減できて耐久性を向上できる。
（変形例）
次に、図７を用いて、本発明の鍵盤蓋開閉装置の変形例について説明する。図７は変形例における鍵盤蓋の前部を腕木に嵌合した状態を表した断面図である。尚、図７に表した変形例は図４に表した実施の形態と基本的な構成は同じなので、詳細な説明は省き、特徴となる部分について以下に説明する。
【００２８】
図７において、円筒形ベアリング２４は、円筒状の外輪２４ｂと外輪２４ｂの中心に配置されて外輪２４ｂに対して回転自在に係合するとともに一端が外輪２４ｂの軸方向に突き出した回転軸２４ａとを備えている。また、円筒形ベアリング２４は、外輪２４ｂの軸方向が左右の腕木７に向かって直交するように前記回転軸２４ａの一端が鍵盤蓋の前部に取り付けられるとともに、外輪２４ｂの鍵盤蓋側に位置する端面２４ｇが鍵盤蓋の側面１６ａと所定の間隔（図中の符号Ｃ）を有するよう取り付けられている。
【００２９】
一方、ガイド溝３６は、下側溝壁面３６ａと上側溝壁面３６ｂの前蓋１６側に突起３６ｆが形成され、ガイド溝３６内の内面である下側溝壁面３６ａと上側溝壁面３６ｂに沿って円筒形ベアリング２４の外輪２４ｂの両端面が嵌合する凹溝が形成されている。
【００３０】
以下に、前記の構成を有する変形例の、鍵盤楽器の鍵盤蓋開閉装置の作用効果を記載する。
本発明の変形例による鍵盤楽器の鍵盤蓋開閉装置によれば、ガイド溝３６の内面である下側溝壁面３６ａと上側溝壁面３６ｂの前蓋１６側に突起３６ｆが形成され、下側溝壁面３６ａと上側溝壁面３６ｂに沿って、円筒形ベアリング２４の外輪２４ｂの両端面が嵌合する凹溝が形成されているので、鍵盤蓋１４をスライドする際に、円筒形ベアリング外輪部２４ｂの両端部が凹溝に嵌合し、ベアリング２４がガイド溝３６から外れることなく鍵盤蓋１４のスライドをスムーズに行うことができる。
【００３１】
尚、本発明の実施の形態によれば、ガイド溝３６は、腕木７の内面から外側に凹となるように形成したが、腕木７の内面から上下に対向する一対のリブを内側に突き出して形成しても良い。
また、本発明の実施の形態によれば、ガイド溝３６は、下側溝壁面３６ａと上側溝壁面３６ｂが前後方向に平行となるように形成したが、後端部３６ｃ、前端部３６ｄに近づくにつれて、下側溝壁面３６ａと上側溝壁面３６ｂの間隔を狭く形成してもよい。これにより、ベアリング２４が前蓋１６を支持して後端部３６ｃ、前端部３６ｄに当接した際に、鍵盤蓋１４の上下方向のガタツキを低減できる。
【００３２】
また、本発明の実施の形態によれば、円筒形ベアリング２４の回転軸２４ａを前蓋１６に固定して外輪２４ｂを回転させるものとしたが、外輪２４ｂを前蓋に固定して回転軸２４ａを前蓋１６の側方に突き出し、回転軸４ａの突き出し部をガイド溝内に嵌合して回転させてもよい。
【図面の簡単な説明】
【図１】本発明の一実施形態の鍵盤開閉装置が適用された鍵盤楽器の外観図である。
【図２】同実施形態の鍵盤楽器の鍵盤蓋を側方から見た側面図（ａ）と前側から見た正面図（ｂ）である。
【図３】同実施形態における鍵盤蓋が閉鎖位置にある鍵盤楽器の側断面図である。
【図４】同実施形態における鍵盤蓋の前蓋を腕木のガイド溝に嵌合した状態を表した断面図である。
【図５】同実施形態における鍵盤蓋の後蓋を腕木の後方案内部に係合する説明図であり、（ａ）は後蓋に鍵盤蓋軸ホルダー及び鍵盤蓋軸ホルダー取付金具を取り付けた図、（ｂ）は鍵盤蓋軸ホルダーに案内軸及びピニオンギヤを取り付けた図、（ｃ）は後蓋を後蓋案内部に係合した図である。
【図６】同実施形態における鍵盤蓋が開放位置にある鍵盤楽器の側断面図である。
【図７】同実施形態の変形例における鍵盤蓋の前部を腕木に嵌合した状態を表した断面図である。
【符号の説明】１…鍵盤楽器、２…ピアノ本体、３…両脚部、４…棚板、５…天板、６…奥屋根、７…腕木、８…演奏部、９…背面板、１０…鍵盤、１１…コントロールスイッチ、１２…操作パネル、１３…譜面台、１４…鍵盤蓋、１５…スリット、１６…前蓋、１６ａ…側面、１８…後蓋、２０…蝶番、２２…前垂れ部、２３…後蓋突起部ガイド溝、２４…ベアリング（円筒形ベアリング）、２４ａ…回転軸、２４ｂ…外輪、２４ｃ…円筒形転動体、２５…凹溝、２６…鍵盤蓋軸ホルダー、２６ａ…軸用孔、２８…鍵盤蓋軸ホルダー取付金具、３０…案内軸、３２…後蓋突起部、３２ａ…取付穴、３２ｂ…ビス孔、３２ｃ…ビス、３４…ピニオンギヤ、３６…前蓋案内部（ガイド溝）、３６ａ，３８ａ，…下側溝壁面、３６ｂ，３８ｂ…上側溝壁面、３６ｃ，３８ｃ…後端部、３６ｄ，３８ｄ…前端部、３６ｅ…突起部、３８…後蓋案内部、４０…ラック。
【図１】
2004309963.tif 000003
【図２】
2004309963.tif 000004
【図３】
2004309963.tif 000005
【図４】
2004309963.tif 000006
【図５】
2004309963.tif 000007
【図６】
2004309963.tif 000008
【図７】
2004309963.tif 000009